(57)【要約】      （修正有）【課題】頭部周帯の前面の形態が損傷することを防止し且つ使用上の安全性を向上させることが可能な支持シートを備えたつば付帽子を提供する。【解決手段】頭部周帯は、織物地で形成され、着用時に外部に露出する外皮２１と、織物地で形成され、着用時に身体に接触する内皮２５と、外皮２１の後面に取り付けられ、一定の強度及び復元力を有するポリエステル材質の緯糸２３とポリ系列原糸の経糸２４とが網構造を成している支持シート２２と、外皮２１の外周縁と内皮２５の外周縁が縫合部によって取り囲まれた後縫い付けられて支持シート２２と内皮２５との間に設けられた空間に挿入され、後方が開放された形状を有する弾性フレームとから構成する。【選択図】図２
0003108572.tif 000002
【実用新案登録請求の範囲】
【請求項１】
光線透過率及び柔軟性に優れた材質で形成されたつばと、前記つばを頭部周帯に結合させるために前記つばと頭部周帯の両側面に設置されるヒンジと、前記ヒンジによって結合したつばを着用者の頭部に固定させるために、外皮の外周縁と内皮の外周縁が縫合されて設けられた空間に弾性力のある弾性フレームが挿入されている頭部周帯とを含んでなるつば付帽子において、
前記頭部周帯は、
織物地で形成され、着用時に外部に露出する外皮と、
織物地で形成され、着用時に身体に接触する内皮と、
前記外皮の後面に取り付けられ、一定の強度及び復元力を有するポリエステル材質の緯糸とポリ系列原糸の経糸とが網構造を成している支持シートと、
前記外皮の外周縁と内皮の外周縁が縫合部によって取り囲まれた後縫い付けられて前記支持シートと内皮との間に設けられた空間に挿入され、後方が開放された形状を有する弾性フレームとから構成されることを特徴とする支持シートを備えたつば付帽子。
【請求項２】
前記支持シートの緯糸は直径０.３ｍｍのポリエステルから構成され、前記支持シートの経糸は太さ１６番手程度のポリ系列原糸から構成されることを特徴とする請求項１に記載の支持シートを備えたつば付帽子。
【請求項３】
前記支持シートにメラミン樹脂が塗布されたことを特徴とする請求項１又は２に記載の支持シートを備えたつば付帽子。
【請求項４】
前記内皮の全面に、約２ｍｍ程度の起毛を有するポリ系列の生地が取り付けられたことを特徴とする請求項１又は２に記載の支持シートを備えたつば付帽子。
【考案の詳細な説明】
【技術分野】
【０００１】
本考案は、日差しや紫外線を遮断するためのつばを有するつば付帽子に関する。
【背景技術】
【０００２】
一般に、つば付帽子は、夏季に野外でスポーツ観覧や海水浴などを行うとき、日光又は紫外線が顔に直接到達することを防止するために着用する。この種のつば付帽子は、図１に示すように、紫外線をカットするために有機物質がコートされたつば１０と、帽子を着用者の頭部に固定させるために、後方が開放され且つ弾力性のある材質で形成されたＣ字型弾性フレームを備えた頭部周帯２０とから構成される。
【０００３】
このような従来のつば付帽子は、日差しの角度に応じて頭部周帯を軸としてつばの位置を上下に調節するように、つばと頭部周帯との結合部位がヒンジ３０から構成されることが一般的である。
【考案の開示】
【考案が解決しようとする課題】
【０００４】
このような従来のつば付帽子は、使用の際、つばの角度を変えるために、頭部周帯の両側に設置されたヒンジを軸としてつばを回転させると、頭部周帯の上部又は下部がつばの上部に接触しながら回転して頭部周帯の前面が歪んだり曲がったりするので、外観上良くないうえ、つばの回転が妨げられるという問題点がある。
ところが、このように頭部周帯の形態変化を防止するための成形フィルムは、あまりに硬くて鋭いため、着用者が成形フィルムのエッジ面に手を付いたり成形フィルムのエッジ面を組み敷いたりした場合、傷害を与えるおそれがあるという問題点があった。
【０００５】
また、成形フィルムの面が頭部周帯への空気流入を防いで通風が円滑に行われなくなるという問題点があった。
また、このような成形フィルムが備えられた頭部周帯を製作するためには、成形フィルムの前、後面を両面接着剤によって頭部周帯の外皮と内皮に接着し、内皮に付着する接着剤層の上部に弾性フレームを挿入するための別途の非接着面が設けられなければならなかったので、その製造工程が複雑であるという問題点があった。
【０００６】
したがって、本考案は、かかる諸般問題点を解決するために創案されたもので、その目的は、頭部周帯の前面が歪んだり曲がったりすることを防止するように一定の硬直度を有する支持シートを備えたつば付帽子を提供することにある。
本考案の他の目的は、上方から圧力が加えられると曲がり易く且つ圧力が取り除かれるとさらに復元できる織物から支持シートを構成することにより、使用上の安全性を向上させた、支持シートを備えたつば付帽子を提供することにある。
【課題を解決するための手段】
【０００７】
上記目的を達成するために、本考案の支持シートを備えたつば付帽子は、光線透過率及び柔軟性に優れた材質で形成されたつばと、前記つばを頭部周帯に結合させるために前記つばと頭部周帯の両側面に設置されるヒンジと、前記ヒンジによって結合したつばを着用者の頭部に固定させるために、外皮の外周縁と内皮の外周縁が縫合されて設けられた空間に弾性力のある弾性フレームが挿入されている頭部周帯とを含んでなるつば付帽子において、前記頭部周帯は、織物地で形成され、着用時に外部に露出する外皮と、織物地で形成され、着用時に身体に接触する内皮と、前記外皮の後面に取り付けられ、一定の強度及び復元力を有するポリエステル材質の緯糸とポリ系列原糸の経糸とが網構造を成している支持シートと、前記外皮の外周縁と内皮の外周縁が縫合部によって取り囲まれた後縫い付けられて前記支持シートと内皮との間に設けられた空間に挿入され、後方が開放された形状を有する弾性フレームとから構成されることを特徴とする。
【０００８】
また、前記支持シートの緯糸は直径０.３ｍｍのポリエステルから構成され、前記支持シートの経糸は太さ１６番手程度のポリ系列原糸から構成されることを特徴とする。
また、前記支持シートにメラミン樹脂が塗布されたことを特徴とする。
また、前記内皮の全面に、約２ｍｍ程度の起毛を有するポリ系列の生地が取り付けられたことを特徴とする。
【考案の効果】
【０００９】
本考案は、頭部周帯の外皮と内皮との間に設置された、緯糸と経糸の網構造からなる支持シートによって頭部周帯の前面の形態を一定に復元して保つことにより、頭部周帯の前面の形態が損傷することを防止することができるという利点がある。
また、本発明は、緯糸と経糸からなる支持シートに対して、上方から圧力が加えられると緯糸が曲がり易く且つ圧力が取り除かれるとさらに復元するようにすることにより、使用上の安全性を向上させることができるという他の利点がある。
【００１０】
また、本発明は、内皮の内面に、起毛法によって起毛が発生したポリ系列の生地を取り付けることにより、起毛によって設けられた空間への空気の流入がより円滑に行われるようにして通風を向上させることができるというさらに他の利点がある。
【考案を実施するための最良の形態】
【００１１】
以下、添付図面を参照して本考案の好適な実施例を詳細に説明する。
図２は本考案に係る支持シートを備えたつば付帽子の構造を分解して示す分解斜視図、図３は弾性フレームが支持シートと内皮との間に挿入されることを示す例示図、図４は図３のＡ−Ａ線に沿った拡大断面図である。
本考案は、光線透過率と柔軟性に優れた材質で形成されたつば１０と、前記つば１０を頭部周帯に結合させるための結合構造のヒンジ３０と、前記ヒンジによって結合したつばを着用者の頭部に固定させる頭部周帯２０とから構成される。
【００１２】
前記つば１０は、光線透過率及び柔軟性に優れて曲面を成すことが可能なポリカーボネートなどの材質で、日除け効果を高めるために赤茶色などの色を呈するように製造されるか、或いは紫外線カット効果を高めるために紫外線を吸収する有機物質がコートされて三日月状に形成される。
前記頭部周帯２０は、織物地からなる外皮２１及び内皮２５と、前記外皮２１の後面に取り付けられる支持シート２２と、前記支持シート２２と内皮２５との間に設けられた空間に挟まれる、後方が開放され且つ弾性力のある材質からなる弾性フレーム４０とから構成される。
【００１３】
前記外皮２１は着用時に外部に露出する部分であり、前記内皮は着用時に身体に接触する部分であって、着用感が柔らかくて汗の吸収力に優れた綿織物で、通常のつば付帽子と同様に中央が広くてその両側面が狭くなるように形成される。
このように中央が広く形成されると、つば付帽子の着用時に安定感を与えるうえ、外皮２１の中央に広告面を設けることができる。
【００１４】
この際、前記内皮２５は、着用時に身体に接触する部位なので、額または頭部の周りに弾性フレーム４０によって加えられる圧迫感が緩和するように、全面にわたってナイロン又はポリ系列のクッション部材をさらに備えて構成することができる。
また、前記内皮２５の内面には、布の繊維を引っ掻いたり引き抜いたりして布の表面に起毛を発生させて布の感触を柔らかくし、或いは通風が円滑に行われるようにする織物加工法である起毛(napping)法によって起毛が発生したポリ系列の生地を備えることが好ましい。この場合、前記頭部周帯２０の全厚さがあまり厚くならないように約２ｍｍ程度の起毛が生ずるようにすることが好ましい。
【００１５】
また、前記内皮２５は、通気性に優れたエアメッシュ地で、通風とクッション感が向上するように構成することもできる。
前記支持シート２２は、前記外皮２１の後面に取り付けられ、一定の強度及び復元力を有するポリエステルからなる緯糸２３と、ポリ系列の原糸からなる経糸２４とが網構造を成すように構成される。
【００１６】
前記緯糸２３は、小さい外力によってはその形態が変化しない程度の一定の強度を持っており、より大きい外力によってはその形態が変化するが、そのような外力が除去されると、さらに元の形態に復元する復元力を有するポリエステル材質で形成される。この際、このような強度及び復元力を有するためには、ポリエステルの直径が約０.３ｍｍ程度であることが好ましい。このようなポリエステル材質の一例としては、釣り糸、これと同様の性質を有するバドミントンラケット用糸やテニスラケット用糸などが挙げられる。これらのポリエステル材質のものを用いて緯糸を形成することもできる。
【００１７】
前記経糸２４は、ポリ系列の原糸又はＴＣ原糸で形成される。また、前記経糸２４は、前記緯糸２３を成すポリエステルが移動しないように固定させ、前記緯糸２３と共に網構造を形成する。この際、前記経糸２４を成す原糸の太さは外力によって切れ易くならないように約１６番手程度にすることが好ましい。
前記緯糸は反物を織るときに横に編む糸、前記縦糸は反物を織るときに縦に編む糸になって、前記支持シート２２が目の細かい網構造で形成される。
【００１８】
この際、前記経糸２４は２本の糸からなり、一定の間隔で多数形成される。前記２本の糸は互いに交差しながら前記緯糸２３の前面と後面を支えるように構成される。
また、前記支持シート２２に熱硬化性樹脂のメラミン樹脂(melamine resin)を塗布し、前記支持シート２２の強度と復元力を増加させることが好ましい。前記メラミン樹脂を塗布する方法の一例としては、前記支持シート２２をメラミン樹脂に浸漬してから取り出した後、ローラで加圧してメラミン樹脂が均一に塗布されるようにする方法が挙げられる。この際、前記支持シート２２に前記縦糸重量の約２０％に相当する量のメラミン樹脂が塗布されるようにすることが好ましい。
【００１９】
前記緯糸２３の長さは前記外皮２１の幅よりやや短くし、前記頭部周帯２０の中央部分では前記外皮２１の幅に沿ってその両側面の緯糸より長くすることが好ましい。
また、前記支持シート２２の位置が外力によって変えられないように、前記支持シート２２を接着剤によって前記外皮２１に接着、固定することが好ましい。
このように前記支持シート２２が接着された外皮２１の後面に内皮２５を重ねておき、その外周縁を幅の狭い縫合部５０で取り囲んだ後縫い付ける。この際、前記頭部周帯２０の一端は開放状態を維持する。この一端から、前記支持シート２２と内皮２５との間に設けられた空間に、弾性力のある材質からなる略Ｃ字型弾性フレーム４０が挿入され、前記弾性フレーム４０が挿入された後、前記一端が縫合されて閉鎖される。
【００２０】
このように構成された本考案に係る支持シート２を備えたつば付帽子は、前記頭部周帯２０の外皮２１に接着された支持シート２２の前面に外力が加えられると、前記経糸２４によってその外力が分散し、外力が除去されると、前記緯糸２３の復元力によってさらに元の形態に復元する。
また、前記頭部周帯２０に上方から圧力が加えられると、緯糸２３が多数離隔しているため曲がり易く、その圧力が除去されると、緯糸の復元力によってさらに元の形態に復元する。したがって、着用者が前記つば付帽子の頭部周帯部に手を付いたり頭部周帯部を組み敷いたりする場合にも、着用者が傷害を被らなくなる。
【００２１】
本考案は、上述した特定の実施例又は図面に記載の内容にその技術的思想が限定されず、請求の範囲で請求する本考案の要旨から逸脱することなく、当該考案の属する技術分野で通常の知識を有する者であれば誰でも様々な変形の実施が可能なのは勿論のこと、そのような変形実施も本考案の請求の範囲内に属する。
【産業上の利用可能性】
【００２２】
本考案は、帽子を着用者の頭部に固定させるための頭部周帯の前面の形態が損傷することを防止することができる効果を有し、つば付帽子として有用である。
【図面の簡単な説明】
【００２３】
【図１】従来のつば付帽子の斜視図。
【図２】本考案に係る支持シートを備えたつば付帽子の分解斜視図。
【図３】本考案に係る弾性フレームが支持シートと内皮との間に挿入されることを示す例示図。
【図４】図３のＡ−Ａ線に沿った拡大断面図。
【符号の説明】
【００２４】
１０    つば
２０    頭部周帯
２１    外皮
２２    支持シート
２３    緯糸
２４    経糸
２５    内皮
３０    ヒンジ
４０    弾性フレーム
５０    縫合部
【図１】
0003108572.tif 000003
【図２】
0003108572.tif 000004
【図３】
0003108572.tif 000005
【図４】
0003108572.tif 000006